【事件の表示】
　特許第２６８８４７９号に関する訂正審判事件について、次のとおり審決する。
【結　論】
　本件審判の請求は、成り立たない。
【理　由】
１．手続の経緯
　本件特許第２６８８４７９号は、１９８７年９月３日を国際出願日とする出願である特願昭６２−５０５６７５号の一部を平成８年８月２０日に新たな特許出願としたものであって、平成９年８月２２日にその設定登録がなされ、その後、当審において、以下の手続を経たものである。
　審判請求書　　　　　　　　　　　　　　平成１４年１０月１５日
　訂正拒絶理由通知　　　　　　　　　　　平成１５年　１月２１日
　面接　　　　　　　　　　　　　　　　　平成１５年　４月１８日
　意見書　　　　　　　　　　　　　　　　平成１５年　５月２７日
２．請求の要旨
　本件審判の請求の要旨は、特許第２６８８４７９号発明の明細書を、審判請求書に添付された訂正明細書に記載される下記のとおりに訂正することを求めるものである。
【訂正事項イ】特許請求の範囲第１項における、
「（ｅ）該第２の端部キャップ（２５）は該第２の端部キャップ（２５）の該中央開孔に該部分２０ｂが内張りされたときに密封状態となる密封部分を備え、該密封部分は柔軟で圧縮可能な発泡エラストマ材料からなり、該密封部分は、該開放した管状のフィルタ内部領域内に配置されると共にフィルタ（１６）と反対側の該環状支持体（１５ａ）の側面上で該環状支持体（１５ａ）に隣接して配置され、」を、
「（ｅ）該第２の端部キャップ（２５）は該第２の端部キャップ（２５）の該中央開孔に該部分２０ｂが内張りされたときに密封状態となる密封部分を備え、該密封部分は柔軟で圧縮可能な発泡エラストマ材料からなり、該密封部分は、該開放した管状のフィルタ内部領域内に配置されると共にフィルタ（１６）と反対側の該環状支持体（１５ａ）の側面上で該環状支持体（１５ａ）に隣接して配置され、前記第２の端部キャップ（２５）は全体的に円筒状の内側表面（２５ａ）を有し、」と訂正し、
【訂正事項ロ】特許請求の範囲第１項における、
「該フィルタエレメント（１５）が該空気出口部材（２０）上に組み付け可能に配置されたときに該密封部分が、」を、
「該フィルタエレメント（１５）が該空気出口部材（２０）上に組み付け可能に配置されたときに、前記第２の端部キャップ（２５）の内側表面（２５ａ）は、前記空気出口部材（２０）の前記部分（２０ｂ）上に嵌合すると共にこの部分（２０ｂ）と密封的に係合するように配置構成され、該密封部分が、」と訂正するものである。
　
３．当審の判断
３−１．訂正の目的の適否、新規事項の有無及び拡張・変更の存否
３−１−１．訂正の目的
　上記訂正事項イは、第２の端部キャップ（２５）につき、その内側表面を「全体的に円筒状の内側表面（２５ａ）を有し」と、下位概念のものに限定するものであって、特許請求の範囲の減縮を目的とするものに該当する。
　上記訂正事項ロは、該フィルタエレメント（１５）が該空気出口部材（２０）上に組み付け可能に配置されたとき、その構造を「前記第２の端部キャップ（２５）の内側表面（２５ａ）は、前記空気出口部材（２０）の前記部分（２０ｂ）上に嵌合すると共にこの部分（２０ｂ）と密封的に係合するように配置構成され」と、下位概念のものに限定するものであって、特許請求の範囲の減縮を目的とするものに該当する。
３−１−２．新規事項
　上記訂正事項イは、本件明細書における「斯くして端部キャップ２５は、外方から内方に向けて直径が徐々に減少していく全体的に円筒状の内側表面２５ａを有する。この円筒状の内側表面２５ａは、」（第０００９段落）の記載及び第１〜３図の記載に基づくものであって、願書に添付された明細書又は図面に記載した事項の範囲内においてなされるものである。
　上記訂正事項ロは、本件明細書における「この円筒状の内側表面２５ａは、空気出口部材２０の内方大径部分２０ｂ上に嵌合すると共にこの内方大径部分２０ｂと密封的に係合するように構成配置され、」（第０００９段落）の記載及び第１図と第３図の記載に基づくものであって、願書に添付された明細書又は図面に記載した事項の範囲内においてなされるものである。
３−１−３．拡張・変更
　上記訂正請求イ，ロは、発明の目的の範囲内で特許請求の範囲の記載を減縮するだけのものであり、実質上、特許請求の範囲を拡張し、又は変更するものではない。
　
３−２．独立特許要件について
３−２−１．本件訂正発明
　本件審判請求書に添付された訂正明細書の特許請求の範囲第１項の記載は次のとおりのものである。（以下、「本件発明」という。）
　「エアフィルタ装置の空気出口部材（２０）内への空気流を濾過するように適合され且つハウジング内に組み付け可能に受容されるように適合されたフィルタエレメント（１５）であって、該空気出口部材（２０）は管状をなし、かつ該空気出口部材（２０）は外側表面と内側空気流通路とを備え、
　（ａ）開放した管状のフィルタ内部領域を形成するフィルタ（１６）を具備し、該フィルタ（１６）が第１の端部と第２の端部とを備え、
　（ｂ）更に、濾過されていない空気が該フィルタ（１６）の該第１の端部を通過しないように該フィルタ（１６）の該第１の端部を閉鎖する第１の閉鎖端部キャップ（１７）を具備し、
　（ｃ）更に、該フィルタ（１６）の該第２の端部を覆う第２の端部キャップ（２５）を具備し、該第２の端部キャップ（２５）が柔軟なエラストマ材料からなり、かつ該第２の端部キャップ（２５）は該空気出口部材（２０）上に嵌合するような大きさに形成された中央開孔を備え、該空気出口部材（２０）は、該開放した管状のフィルタ内部領域内に突出する空気出口部材（２０）の部分（２０ｂ）を有し、
　（ｄ）更に、該開放した管状のフィルタ内部領域内に配置された環状支持体（１５ａ）を具備し、該環状支持体（１５ａ）の少なくとも一部が、該第２の端部キャップ（２５）内に埋め込まれると共に該第２の端部キャップ（２５）の該中央開孔を包囲し、該環状支持体（１５ａ）が該フィルタ（１６）の一部を心出しし、
　（ｅ）該第２の端部キャップ（２５）は該第２の端部キャップ（２５）の該中央開孔に該部分２０ｂが内張りされたときに密封状態となる密封部分を備え、該密封部分は柔軟で圧縮可能な発泡エラストマ材料からなり、該密封部分は、該開放した管状のフィルタ内部領域内に配置されると共にフィルタ（１６）と反対側の該環状支持体（１５ａ）の側面上で該環状支持体（１５ａ）に隣接して配置され、前記第２の端部キャップ（２５）は全体的に円筒状の内側表面（２５ａ）を有し、該フィルタエレメント（１５）が該空気出口部材（２０）上に組み付け可能に配置されたときに、前記第２の端部キャップ（２５）の内側表面（２５ａ）は、前記空気出口部材（２０）の前記部分（２０ｂ）上に嵌合すると共にこの部分（２０ｂ）と密封的に係合するように配置構成され、該密封部分が、上記開放した管状のフィルタ内部領域内において、該フィルタ（１６）の該開放した管状のフィルタ内部領域内の該環状支持体（１５ａ）と、該空気出口部材（２０）の該部分（２０ｂ）の外側表面との間で半径方向に圧縮されて挟持され、該密封部分は、該空気出口部材（２０）を該第２の端部キャップ（２５）の該中央開孔を通して突出させることにより該フィルタエレメント（１５）が該空気出口部材（２０）上に使用可能に取り付けられたときに該空気出口部材（２０）の該部分（２０ｂ）の外側表面との半径方向シールを形成するように該空気出口部材（２０）の該外側表面に対して寸法を定められ、
　（ｆ）上記第１の端部キャップ（１７）が該フィルタエレメント（１５）の第１の端部全体を覆う、フィルタエレメント。」
　
３−２−２．訂正拒絶理由の概要
刊行物１：英国特許第１４９９９２２号明細書
刊行物２：実願昭５８−３４９２９号（実開昭５９−１４１１５０号）
　　　　　のマイクロフィルム
刊行物３：特開昭５６−１１１０８１号公報
刊行物４：特公昭３９−２６６１３号公報
刊行物５：実願昭５３−１０００８号（実開昭５４−１１４１６８号）
　　　　　のマイクロフィルム
刊行物６：実願昭５７−１１６１１７号（実開昭５９−２０８１９号）
　　　　　のマイクロフィルム
刊行物７：特開昭５４−９０６１９号公報
刊行物８：特開昭５３−６８３１０号公報
　本件発明は、本件の出願前に頒布された刊行物である刊行物１〜８に記載された発明に基づいて当業者が容易に発明をすることができたものであって、特許法第２９条第２項の規定により特許を受けることができないものである。
　
３−２−３．特許権者の意見書における反論
　特許権者は、証拠方法として下記の書証をもって、本件発明は、上記刊行物１〜８に記載された発明に基づいて当業者が容易に発明をすることができたものではなく進歩性を有する発明であると主張する。
（証拠方法）
甲第１号証：トーマス・ジー．ミラーの宣誓供述書
甲第２号証：比較実験報告書
甲第３号証：ローエンタ社　ＺＲ７０１　報告書
甲第４号証の１〜３：ノベルト・プリンツの宣誓供述書
甲第４号証の４：ヘンクスト社の代理人がヨーロッパ特許庁へ送付した手紙
甲第５号証：ＢＡＳＦ社のギャリィ　イー．ブラントからトーマス・ジー．ミラーへの手紙
甲第６号証：欧州特許第３２９６５９公報
甲第７号証：ドイツ連邦共和国特許出願公開第３４０５７１９号公報
　
３−２−４．各刊行物の記載事項について
　各刊行物には、それぞれ次の事項が記載されている。
（イ）刊行物１
（イ−１）「管状フィルタエレメントからなるフィルタカートリッジであって、管状フィルタエレメントの各端部の全環状領域を覆う環状密封要素を有し、各環状密封要素は、対応する密封要素の残りの部分と表面全体が半径方向に整列された周囲リムを有し、各周囲リムは、フィルタカートリッジが内部に配置されたとき、半径方向に圧縮可能であり、かつフィルタハウジングと密封接触するようにされ、柔軟性を高めるために各周囲リムが一対のより小さいリム又はリップに分割されている、フィルタカートリッジ。」（特許請求の範囲第１項）
（イ−２）「本発明は、フィルタカートリッジに関し、特に、エアフィルタでの使用、さらにはあらゆる流体用、自動車用または同様の乗物のエンジン用、またはこのようなフィルタの使用を必要とする任意の工業用用途のフィルタでの使用に適したフィルタカートリッジに関する」（第１頁第９〜１４行）
（イ−３）「現時点で公知のフィルタにおいて、フィルタカートリッジは、一般に、フィルタのハウジングに所望の密封性を確保するために、軸方向の圧迫を受ける密封要素が端部のそれぞれに設けられたフィルタエレメント本体を備える。
　本発明によれば、管状フィルタエレメントを備えるフィルタカートリッジが提供される。管状フィルタエレメントの各端部の全環状領域は管状密封要素でおおわれており、各密封要素は対応する密封要素の残りの部分と半径方向に整列された周囲リムを有し、フィルタカートリッジが内部に配置されたとき、各周囲リムは半径方向に圧縮可能で、フィルタハウジングと密封接触するようにされており、各周囲リムは柔軟性を高めるために一対のより小さいリムまたはリップに分割されている。
　このようなフィルタカートリッジにより、フィルタエレメントが備える密封要素上に軸方向の代わりに半径方向の圧迫を用いることで、上述した公知のフィルタの欠点が解消される。」（第１頁第１５〜３６行）
（イ−４）「図１は、公知のタイプのエアフィルタの軸方向断面図である。・・・・・・・。図３は、本発明の第１の実施形態によるカートリッジを用いたエアフィルタの軸方向断面図である。・・・。図７は、本発明の第５の実施形態によるフィルタカートリッジの軸方向断面図である。」（第１頁第５２〜７２行）
（イ−５）「フィルタハウジングのカートリッジのアセンブリに必要な２つの密封機能、すなわち、ハウジングとカートリッジ端部間の密封性と、フィルタハウジングのケース上のカバーの密封性とを分離した本発明によるフィルタカートリッジにより、上述した欠点は解消される。」（第２頁第３７〜４５行）
（イ−６）「図３に示す本発明の第１の実施形態において、フィルタカートリッジは、任意の種類の中空の円筒状フィルタエレメント１１で構成されており、その端部１１−１及び１１−２にはプラスチック材料および密封要素１２および１３を形成する要素が設けられ、このアセンブリは公知のフィルタで通常使用される材料または同様の特性をもつ材料からなる。密封要素１２および１３は、半径方向に圧縮可能で、柔軟性を高めるために一対のより小さなリムまたはリップにそれぞれが分割された内側周囲リム１４および１５を有する（図７を参照して以下に詳細に記載される）。これらのリムにより、金属または成形プラスチック材料で形成されたケース１７の円筒状の内壁と、金属で形成され、またはプラスチック材料で成形された単一部品から構成されたカバー１９またはカバー１９の内側に固定された補助カバー２０の円筒状の内壁１８に半径方向の密封性が与えられる。
　部分的に環状体の密封要素が軸を滑動するようにして密封性が得られる。中央ボルト２１のみにより、ケース１７上にカバー１０を密封する環状密封要素２２が圧縮されるが、この締め付けは、フィルタカートリッジの側面密封要素１２および１３に何ら応力をかけない。これらは、接触部品に与えられた直径寸法から予め分かっている十分な程度に一度だけ方向２３および２４に半径方向に圧縮されて、フィルタカートリッジがそのフィルタのハウジングの適所に配置されたときにその２つの端部の密封性が確保される。このようにして、長時間にわたる密封要素の信頼性が確保される。
　ボルト２１の締め付けは密封要素２２を圧縮する力に制限されるため、ケース１７およびカバー１９−２０に作用する応力は小さいことから、これらの２つの部品を製造するためにプラスチック材料を使用することは合理的である。スペーサ要素２１−１により行程を制限することにより、必要に応じて、ボルト２１の締め付けを適切な値に制限することができる。このアセンブリでは、カバー１９−２０と密封要素１２の間に隙間２０−２が設けられて、一方では、ボルト２１の締め付け時の部品の変形量を、他方では、それらの部品、すなわち１つはケース−カバーアセンブリ、もう１つはフィルタカートリッジに与えられた全寸法公差を相殺するように配列される。ケース−カバーアセンブリと比較して軸方向にあるこのカートリッジの位置が密封性の一要因ではないため、上述した寸法公差は非常に大きく、その結果、部品の製造が容易になり、それらの原価が下がる。また、公知のフィルタのように、ケースの底面と密接に平行してカバーを設ける必要がないため、これも製造の単純化および原価の低下の一要因となる。」（第２頁第４６〜１１７行）
（イ−７）「図５に示す本発明の第３の実施形態は、第１および第２の実施形態の特徴を組み合わせたものである。密封要素１２は、カバー１９−２０と一体形の円筒状の垂直壁２０−１に支持された外部周囲リム２５により半径方向の密封性を与え、密封要素１３は、ケース１７から突出する円筒状の垂直壁１６に支持された内部周囲リム１５により半径方向の密封性を達成する。」（第３頁第２７〜３７行）
（イ−８）「前述した任意の実施形態に関して記載した任意のフィルタカバーにフィルタカートリッジを取り付けることができるように、図７に示す本発明の第５の実施形態においては、２つの端部密封要素１２および１３は、それぞれが半径方向に圧縮可能である半径方向に内側および半径方向に外側の周囲リムをもつように形成され、カートリッジをフィルタ本体に配置したときにリムを圧縮する力が最小量となるように半径方向の断面（半円、正方形、三角形または台形）が設計された２つまたはそれ以上近接させたより小さなリム２９および３０にそれぞれのリムを分割することにより、これらの圧縮可能なリムを圧縮することにより得られる密封性がさらに高められる。」（第３頁第４８〜６５行）
　
（ロ）刊行物２
（ロ−１）「気化器に立設したセンタボルトに締着される丸型のエアクリーナであって、フィルタエレメントはボデー平坦部に設けた上方へ突出の複数のエンボスに載置されており、フィルタエレメントの上下に設けた弾性端板内側の円環状の突起部がカバーおよびボデーに設けた円環状凹部の直立部と嵌合し、そしてカバーとボデー外周部に硬度の高いパッキンを装着することを特徴とする端板内部シールのエアクリーナ。」（実用新案登録請求の範囲）
（ロ−２）「しかしながら従来のエアクリーナ２０は、気化器１６に載置後ナット１８の締付けによるカバー１への締付け荷重でカバーパッキン３（ボデーパッキン７も）および外周パッキン１９を加圧するのでその荷重は分割され外周パッキン１９は硬度の低いものを使用することになり主目的の騒音低減が充分なされない欠点がある。」（第３頁第１０〜１６行）
（ロ−３）「第１図は本考案によるエアクリーナ３０を気化器１６に載置してセンタボルト１７に取付け、ナット１８で締着したものの一部縦断面図であり、第２図はその要部（丸枠部）拡大図であって、第３図はボデー平坦部２６に設けたエンボス２９の平面図を示す。」（第３頁第１９行〜第４頁第４行）
（ロ−４）「本考案のエアクリーナ３０の構成要素は従来のエアクリーナ２０と同じであるが、フィルタエレメント３１は多孔円筒のインナチューブ１１の周囲に菊花状ひだ折りろ材１２を配設し、この上下に弾性端板３２例えば軟質発泡ウレタンで形成され、該端板３２は平坦部３３とインナチューブ１１上下の内側に成形された円環状の突起部３４からなっている。そしてカバー２１は円環状の凹部２３を有し該凹部２３には直立部２４が成形され、ボデー２５にはその底部の平坦部２６に設けた複数例えば上方へ突出のエンボス２９が３個立設しており、カバー２１と同じく円環状の凹部２７と該凹部２７に直立部２８が成形されている。」（第４頁第５〜１７行）
（ロ−５）「上記エアクリーナ３０を気化器１６に装着するときは、まず気化器１６にボデー２５を載置し、次にフィルタエレメント３１の突起部３４をボデー２５の直立部２８に摺動しつつ挿嵌し、例えば上方へ突出の３個のエンボス２９に当接させる。そしてボデー２５の立上部８上方の嵌合部９に外周パッキン３６を設置し、カバー２１の直立部２４をフィルタエレメント３１の突起部３４に摺動挿嵌しセンタボルト１７にカバー孔（図示せず）を貫挿してナット１８で締着するのである。」（第４頁第１８行〜第５頁第７行）
（ロ−６）「この場合フィルタエレメント３１の下方の端板平坦部３３は前記エンボス２９に当接し、且つ弾性端板突起部３４はカバー２１、ボデー２５の直立部２４、２８と圧接状態でダスト洩れを防止し、さらにカバー平坦部２２と上方の端板平坦部３３とは間隙Ｈが形成されている。」（第５頁第７〜１２行）
（ロ−７）「このように気化器１６に装着されたエアクリーナ３０はエンジン（図示せず）始動によりエア取入管１４よりダストを含む大気が吸入され、フィルタエレメント３１の菊花状ひだ折りろ材１２でダストが捕集され清浄な大気のみが気化器１６よりエンジン（図示せず）へ吸入される。この場合フィルタエレメント３１の円環状の突起部３４とカバー２１、ボデー２５の直立部２４、２８間からダストが漏洩することもなく軽量化されたフィルタエレメント３１はエンジン振動に影響されることもなくダスト漏洩防止が保持できる。」（第５頁第１２行〜第６頁第３行）
（ロ−８）「上記のように本考案はフィルタエレメントの端板を弾性端板にして軽量化するとともに端板の内側でシールするようにしたので外周パッキンの硬度アップができ、顕著に騒音低減できる効果がある。」（第６頁第１２〜１６行）
　
（ハ）刊行物３
（ハ−１）「本発明はフィルタ室が浄化すべき媒体の流路の流入孔と流出孔の間にフィルタ材料を含む、とくに飲料水を浄化するフィルタに関する。」（第２頁左上欄第５〜７行）
（ハ−２）「カバー板１５，１７は生理的に問題のない種類の弾性ポリ塩化ビニルからなり、フィルタ挿入体５をケーシング１またはふた３に対してシールする。カバー板１５はこの場合ふた３に平面的に接触する。リングフランジ１３はカバー板１７の中心孔２３を貫通する。孔２３の内縁のシールリップ２５はリングフランジ１３を水密に包囲する。」（第３頁右上欄第１７行〜右下欄第４行）
　
（ニ）刊行物４
（ニ−１）「本発明は内燃機関等用の空気清浄器またはフィルターに関し、さらに詳しくはこの型の遠心空気清浄器用自動除塵弁の改善に関する。」（第１頁左欄下から第１８行〜下から第１６行）
（ニ−２）「図面をさらに詳細に参照すると、番号１は円筒形側壁２、内端壁３および移動外端壁４を有する枠を一貫して示す。呈示された空気清浄機は・・・遠心型を有しかつ内端壁３の近傍の放射状設置空気取入管５および該取入端壁３によって運ばれる軸状空気取出管６を包含する。番号７で示される環状ガス透過フィルター要素が円筒形枠１の内に同心状に納置されて居る。フィルター要素７は該アンダーソンその他の出願に示されるひだ付型をとりうる。いかなる場合でも、それは該枠２の長さを実質的に延長させ、かつその多孔性放射状外壁８は円筒形側壁２の放射状内表面２ａから一定間隔をもって設置され、環形軸状延伸空気取入通路９を定義し、かつその多孔性内壁１０は空気取出管６と通じるところの軸状延伸空気路１１を定義する。」（第１頁右欄第２１〜３８行）
　
（ホ）刊行物５
（ホ−１）「一側が開口し、他側は空気流出用の筒口が形成されたケースの内部にフィルタエレメントを装着し、空気流入用の筒口が形成されたキャップ状の蓋体を前記ケースの開口部に嵌着してなるエアフィルタにおいて、前記ケースの筒口をケースの内方に突出させ、この突出部にフィルタエレメントの一端に取付けたリング状部材をこのリング状部材の内面に設けた弾性オーリングを介して嵌着することによりフィルタエレメントを取付け、フィルタエレメントの他端はケースの開口端より突出させると共に熱伝導率の高いキャップ状部材を取付け、このキャップ状部材を前記蓋体の筒口に内側から臨ませたことを特徴とするエアフィルタ。」（実用新案登録請求の範囲）
　
（ヘ）刊行物６
（ヘ−１）「多孔円筒の外周に菊花状ひだ折りろ紙を配設し、その上下端に軟質発泡ウレタン製端板を設けてなるフィルタエレメント装着のエアクリーナであって、前記上下端板の内側部は、該内側部と当接するエアクリーナのカバー、ボデー傾斜部と同じ傾斜に成形され、さらに端板の上下面には環状の突起部を設けることを特徴とするサイドシールタイプの丸型エアクリーナ。」（実用新案登録請求の範囲）
　
（ト）刊行物７
（ト−１）「広がった下部唇状部を持つベンチュリ空気ノズルと、この空気ノズル内に空気を吸引するのに通すフィルタとを備えた集じん機に使われ前記フィルタを前記ベンチュリ空気ノズルに取付けるガスケットにおいて、（ａ）エラストマー質材料から成り第１及び第２の端部と内側壁及び外側壁とを持ち、前記内側壁にベンチュリ空気ノズルの広がった下部唇状部を受入れる環状のくぼみを形成し、この環状のくぼみを第１の内径を持つ第１のリム部分と第１内径より大きい第２の内径を持つ第２のリム部分との間に配置し、第１のリム部分を第１の端部に対し第２のリム部分より一層近く配置した環状部片と、（ｂ）この環状部片の第２の端部に前記フィルタを固着する固着部片とを包含するガスケット。」（特許請求の範囲）
（ト−２）「ガスケット（１０）は、合成ゴム又は天然ゴム又は天然ゴム又はその他のエラストマーたとえば海綿状ウレタンゴム又はシリコ−ンゴムのような適当なエラストマー質材料から形成した環状部片（３８）である。」（第５頁左上欄末行〜右上欄第４行）
　
（チ）刊行物８
（チ−１）「空気流入口を有する有底筒状の合成樹脂製クリーナケース、このクリーナケースの開口を覆いかつ中央に空気流出口を持つ合成樹脂製クリーナキャップ、前記空気流出口に対してほぼ同軸的に前記クリーナケース内に配置される環状フィルタエレメント、このフィルタエレメントのクリーナケース底部に面する端面及び中心開口を覆う端板、前記フィルタエレメントの他方の端面を覆いかつ前記クリーナケースの周壁近くまで半径方向に延びる環状端板、及びこの環状端板の外縁に設けられた環状ガスケットを備え、このガスケットが前記クリーナケースの開口縁とクリーナキャップとの間にはさみ込まれることを特徴とする内燃機関用エアクリーナ。」（特許請求の範囲）
（チ−２）「この環状フィルタエレメント１４のクリーナケース１の底壁２に面する端面には、中心口１５をも覆う円板状端板１６が固着されている。すなわちこの端板１６は、フィルタエレメントの中心口１５を覆う部分１６ａと端面に当る部分１６ｂとからなる。これにより、フィルタエレメント１４のクリーナケース１の底壁２に面する側は密封されている。」（第２頁左下欄第４行〜第１１行）
　
３−２−５．対比・判断
　本件発明については、上記の３−２−１．の箇所で、認定したとおりであるが、これを分説すると以下のとおりとなる。
【Ａ−１】エアフィルタ装置の空気出口部材（２０）内への空気流を濾過するように適合され且つハウジング内に組み付け可能に受容されるように適合されたフィルタエレメント（１５）であって、該空気出口部材（２０）は管状をなし、
【Ａ−２】かつ該空気出口部材（２０）は外側表面と内側空気流通路とを備え、
【Ａ−３】（ａ）開放した管状のフィルタ内部領域を形成するフィルタ（１６）を具備し、該フィルタ（１６）が第１の端部と第２の端部とを備え、
【Ａ−４】（ｂ）更に、濾過されていない空気が該フィルタ（１６）の該第１の端部を通過しないように該フィルタ（１６）の該第１の端部を閉鎖する第１の閉鎖端部キャップ（１７）を具備し、
【Ａ−５】（ｃ）更に、該フィルタ（１６）の該第２の端部を覆う第２の端部キャップ（２５）を具備し、
【Ａ−６】該第２の端部キャップ（２５）が柔軟なエラストマ材料からなり、かつ該第２の端部キャップ（２５）は該空気出口部材（２０）上に嵌合するような大きさに形成された中央開孔を備え、該空気出口部材（２０）は、該開放した管状のフィルタ内部領域内に突出する空気出口部材（２０）の部分（２０ｂ）を有し、
【Ａ−７】（ｄ）更に、該開放した管状のフィルタ内部領域内に配置された環状支持体（１５ａ）を具備し、
【Ａ−８】該環状支持体（１５ａ）の少なくとも一部が、該第２の端部キャップ（２５）内に埋め込まれると共に該第２の端部キャップ（２５）の該中央開孔を包囲し、該環状支持体（１５ａ）が該フィルタ（１６）の一部を心出しし、
【Ａ−９】（ｅ）該第２の端部キャップ（２５）は該第２の端部キャップ（２５）の該中央開孔に該部分２０ｂが内張りされたときに密封状態となる密封部分を備え、該密封部分は柔軟で圧縮可能な発泡エラストマ材料からなり、
【Ａ−１０】該密封部分は、該開放した管状のフィルタ内部領域内に配置されると共にフィルタ（１６）と反対側の該環状支持体（１５ａ）の側面上で該環状支持体（１５ａ）に隣接して配置され、前記第２の端部キャップ（２５）は全体的に円筒状の内側表面（２５ａ）を有し、該フィルタエレメント（１５）が該空気出口部材（２０）上に組み付け可能に配置されたときに、前記第２の端部キャップ（２５）の内側表面（２５ａ）は、前記空気出口部材（２０）の前記部分（２０ｂ）上に嵌合すると共にこの部分（２０ｂ）と密封的に係合するように配置構成され、
【Ａ−１１】該密封部分が、上記開放した管状のフィルタ内部領域内において、該フィルタ（１６）の該開放した管状のフィルタ内部領域内の該環状支持体（１５ａ）と、該空気出口部材（２０）の該部分（２０ｂ）の外側表面との間で半径方向に圧縮されて挟持され、
【Ａ−１２】該密封部分は、該空気出口部材（２０）を該第２の端部キャップ（２５）の該中央開孔を通して突出させることにより該フィルタエレメント（１５）が該空気出口部材（２０）上に使用可能に取り付けられたときに該空気出口部材（２０）の該部分（２０ｂ）の外側表面との半径方向シールを形成するように該空気出口部材（２０）の該外側表面に対して寸法を定められ、
【Ａ−１３】（ｆ）上記第１の端部キャップ（１７）が該フィルタエレメント（１５）の第１の端部全体を覆う、フィルタエレメント。
　
３−２−５−１．対比・判断（その−１）
　刊行物１には、刊行物１のＦＩＧ．３と前記（イ−４）及び（イ−６）の記載からみて、「第１の実施形態のカートリッジを用いたエアフィルタ装置」に関する発明が記載されており、そして、そのＦＩＧ．３におけるケース１７の左側壁に設けられる管様体は空気取入部材に相当し、また、ケース１７の底壁中央に設けられる下方に延伸する管様体は空気取出部材を構成する部材に相当するものであり、この場合、空気は空気取入部材から入り、筒状のフィルタカートリッジの側壁を通って濾過された後に、フィルタエレメント１１の内方から空気取出部材を経て取り出されるものであり、これらのことはこの分野の技術常識からみて明らかなことである。
　刊行物１に記載の上記発明から、本件発明に関連する事項を抽出し、かつ、本件発明に従って分説すると、以下のとおりとなる。
【ａ−１】エアフィルターの空気取出部材内への空気流を濾過するように適合されたフィルタカートリッジであって、フィルタカートリッジは覆体内に組み立てられ、該空気取出部材は円筒状の垂直壁１６と管様体とからなり、
【ａ−２】かつ該空気取出部材はケース１７の内方に、内方部分を具備し、該内方部分は、外側表面（垂直壁１６の外側）と内側空気流通路（管様体の内側空気流通路）とを有し、
【ａ−３】開放した管状のフィルタ内部領域を形成するフィルタエレメント１１を具備し、該フィルタエレメント１１が端部１１．１と端部１１．２とを備え、
【ａ−４】更に、濾過されていない空気が該フィルタエレメント１１の端部１１．１を通過しないように該フィルタエレメント１１の端部１１．１を閉鎖する密封要素１２を具備し、
【ａ−５】更に、該フィルタエレメント１１の該端部１１．２を覆う環状の密封要素１３を具備し、
【ａ−６】該密封要素１３は、プラスチック材料からなり、半径方向に圧縮可能で、柔軟性を高めるために一対のより小さなリムまたはリップにそれぞれが分割された内側周囲リム１４及び１５を有し、かつ当該密封要素１３はその中央に円筒状の垂直壁１６が貫通するところの中央開孔を有し、そして、空気取出部材は、その円筒状の垂直壁１６と管様体とが、開放した管状のフィルタ内部領域内に突出する内方部分を有し、
【ａ−７】〈明示なし〉
【ａ−８】〈明示なし〉
【ａ−９】該密封要素１３は、該密封要素１３の中央開孔に上記空気取出部材の内方部分が位置したときに密封性が確保される密封部分を備え、該密封部分はプラスチック材料からなり、半径方向に圧縮可能で、柔軟性を高めるために一対のより小さなリムまたはリップにそれぞれが分割された内側周囲リム１４及び１５を有し、
【ａ−１０】該密封要素１３の内側部分は、上記開放した円筒状のフィルタ内部領域内に配置されると共に、該密封要素１３は、その内側表面に一対のより小さなリムまたはリップにそれぞれが分割された内側周囲リム１４及び１５を有し、上記フィルタカートリッジが空気取出部材に組み込まれたときに、該密封要素１３の内側部分は、前記空気取出部材の内方部分（垂直壁１６等）の外表面上に、半径方向外方に圧縮されて配置され、
【ａ−１１】該密封要素１３の内側部分は、上記開放した管状のフィルタ内部領域内において、上記空気取出部材の内方部分（垂直壁１６等）の外側表面上で、半径方向外方に圧縮され、
【ａ−１２】該密封要素１３の内側部分は、該空気取出部材を該密封要素１３の該中央開孔を通して突出させることにより該フィルタカートリッジが該空気取出部材上に使用可能に取り付けられ、
【ａ−１３】上記端部１１．１の密封要素１２は当該端部１１．１を環状に覆い、当該端部１１．１側のフィルタカートリッジの開孔は中央ボルト２１を貫通する補助カバーにより覆われる、
エアフィルター。
　
　そこで、本件発明と刊行物１に記載の発明とを対比する。
　以下、刊行物１に記載の発明の構成に対しては、対比の説明上、必要に応じて、これに対応する本件発明の構成を括弧［　］中に記載することとする。
本件発明の構成要件【Ａ−１】
　まず、刊行物１の発明の【ａ−１】でいう「エアフィルター」は、フィルタカートリッジ及びケース等の部材を組み合わせて具備するものであるから、本件発明の「エアフィルタ装置」に相当する。
　次に、刊行物１の発明の【ａ−１】における、「覆体」は、本件発明の「ハウジング（１０）」に相当する。また、その「空気取出部材」及び「フィルタカートリッジ」は、本件発明の「空気出口部材（２０）」及び「フィルタエレメント（１５）」にそれぞれ相当する。そして、該空気取出部材は、円筒状の垂直壁１６と管様体とからなるが、ＦＩＧ．３からみて明らかなように、全体として管状の形状を有しているといえるものである。更に、刊行物１の発明の「フィルタカートリッジ」は、前記刊行物１の（イ−６）により、その密封要素１２及び１３により、その圧縮作用を利用して補助カバー２０及び空気取出部材の内方部分（垂直壁１６等）に取り付けるものであって、覆体内に組み付け可能に受容されるといえる。
　そうすると、本件発明の【Ａ−１】と刊行物１の発明の【ａ−１】とは一致するといえる。
本件発明の構成要件【Ａ−２】
　刊行物１の発明の【ａ−２】における「空気取出部材」は、本件発明と同じように外側表面と内側空気流通路とを有する。
　そうすると、本件発明の【Ａ−２】と刊行物１の発明の【ａ−２】とは一致するといえる。
本件発明の構成要件【Ａ−３】
　刊行物１の発明の【ａ−３】における、その「フィルタエレメント１１」は、本件発明の「フィルタ（１６）」に相当し、また、そのフィルタエレメント１１のフィルタ内部領域は管状である。
　刊行物１の発明の【ａ−３】における、「端部１１．１」、「端部１１．２」は、本件発明の「第１の端部」、「第２の端部」にそれぞれ相当する。
　そうすると、本件発明の【Ａ−３】と刊行物１の発明の【ａ−３】とは一致するといえる。
本件発明の構成要件【Ａ−４】
　刊行物１の発明の【ａ−４】における、「端部１１．１」は、本件発明の「第１の端部」に相当し、また、「密封要素１２」は、本件発明の「第１の端部キャップ（１７）」に対応する。そして、刊行物１に記載の発明においても、ＦＩＧ．３からみて明らかなとおり、その密封要素１２は補助カバー２０と協働して、濾過されていない空気が該フィルタエレメント１１の該端部１１．１内に流入することを防止できるものである。
　そうすると、本件発明の【Ａ−４】と刊行物１の発明の【ａ−４】とは一致するといえる。
本件発明の構成要件【Ａ−５】
　刊行物１の発明の【ａ−５】における、「端部１１．２」、「密封要素１３」は、本件発明の「第２の端部」、「第２の端部キャップ（２５）」にそれぞれ相当する。
　そうすると、本件発明の【Ａ−５】と刊行物１の発明の【ａ−５】とは一致するといえる。
本件発明の構成要件【Ａ−６】
　刊行物１の発明の【ａ−６】における、その密封要素１３［第２の端部キャップ（２５）］は、該密封要素１３を貫通する中央開孔を有し、該開孔は空気取入部材上に嵌合するような大きさに形成されているものであって、また、空気取出部材はフィルタ内部領域に突出する内方部分を有し、この点で、両者は一致する。
　しかし、本件発明は、第２の端部キャップ（２５）が、「柔軟なエラストマ材料からなる」ものであるのに対し、刊行物１に記載の発明では、その密封要素１３は、プラスチック材料からなり、また、半径方向に圧縮可能で、柔軟性を高めるために分割された内側周囲リム１４及び１５を有するというのであるから、その材料自体が、元々、圧縮可能で、柔軟性を有するものであると認められるものの、当該密封要素１３はエラストマーであるとまでは明示されず《相違点１》、この点で、両者は相違する。
　そして、この項のその余の構成については、両者は一致する。
本件発明の構成要件【Ａ−７】
　本件発明は、「該開放した管状のフィルタ内部領域に配置された環状支持体を具備」するものであるのに対し、刊行物１に記載のものでは、環状支持体の存在することが明示されず、したがって、環状支持体により規定される当該構成を具備しておらず《相違点２》、この点で両者は相違する。
本件発明の構成要件【Ａ−８】
　本件発明は、「該環状支持体の少なくとも一部が、該第２の端部キャップ内に埋め込まれると共に該第２の端部キャップの該中央開孔を包囲し、該環状支持体が該フィルタの一部を心出し」するものであるのに対し、刊行物１の発明では、環状支持体を用いることが明示されず、したがって、当該構成を示すものではなく《相違点３》、この点で両者は相違する。
本件発明の構成要件【Ａ−９】
　刊行物１の発明の【ａ−９】における、その密封要素１３［第２の端部キャップ（２５）］は、該密封要素１３の中央開孔に上記空気取出部材の内方部分［部分（２０ｂ）］が位置したときに密封性が確保される密封部分を備えるものであるから、本件発明と同じように、空気取出部材の内方部分が内張りされたときに、密封要素１３は当該中央開孔に密封状態となる密封部分を備えるといえる。
　しかし、本件発明は、「該密封部分は柔軟で圧縮可能な発泡エラストマ材料からなる」というものであるのに対して、刊行物１の発明の【ａ−９】における、その密封要素１３は、プラスチック材料からなり、また、半径方向に圧縮可能で、柔軟性を高めるために分割された内側周囲リム１４及び１５を有するというのであるから、その材料自体が、元々、圧縮可能で、柔軟性を具備するものである認められるものの、その材料が発泡性エラストマ材料とまで示されず《相違点４》、この点で両者は相違する。
本件発明の構成要件【Ａ−１０】
　刊行物１の発明の【ａ−１０】における、その密封要素１３の内側部分［密封部分］は、本件発明のように、上記開放した円筒状［管状］のフィルタ内部領域内に配置されるものである。
　また、刊行物１の発明の【ａ−１０】における、そのフィルタカートリッジ［フィルタエレメント（１５）］が、空気取出部材に組み付けられたときに、該密封要素１３の内側部分は、前記空気取出部材の内方部分（垂直壁１６等）の外表面上に、半径方向外方に圧縮されて配置されるものであって、該密封要素１３の内側部分は、本件発明と同じように、空気取出部材の内方部分上に嵌合するものであり、また、該密封要素１３の内側部分の圧縮力により、空気取出部材の内方部分に密封的に係合するものである。
　しかし、（１）本件発明は、その密封部分は、「フィルタ（１６）と反対側の上記環状支持体（１５ａ）の側面上で該環状支持体（１５ａ）に隣接して配置され」るのに対し、刊行物１に記載の発明では、環状支持体を用いることが示されず、したがって、その環状支持体により規定される当該構成を有しない点《相違点５》、
（２）本件発明は、「前記第２の端部キャップ（２５）は全体的に円筒状の内部表面（２５ａ）を有」するのに対し、刊行物１に記載の発明では、そのことが明示されず《相違点６》、この点で、両者は相違する。
　そして、この項のその余の構成については、両者は一致する。
本件発明の構成要件【Ａ−１１】
　刊行物１の発明の【ａ−１１】における、その密封要素１３の内側部分［密封部分］は、本件発明のように、上記開放した管状のフィルタ内部領域内に配置され、また、本件発明のように、上記空気取出部材の内方部分［部分（２０ｂ）］の外側表面上で、半径方向に圧縮されるものである。
　しかし、本件発明は、「該密封部分が、上記開放した管状のフィルタ内部領域内において、該フィルタ（１６）の該開放した管状のフィルタ内部領域内の該環状支持体（１５ａ）と、該空気出口部材（２０）の該部分（２０ｂ）の外側表面との間で半径方向に圧縮されて挟持され」るのに対し、刊行物１の発明では環状支持体の使用が明示されないので当該構成が示されず《相違点７》、したがって、この点で両者は相違する。
　そして、この項のその余の構成については、両者は一致する。
本件発明の構成要件【Ａ−１２】
　刊行物１の発明の【ａ−１２】における、その密封要素１３の内側部分は、該空気取出部材を該密封要素１３の該中央開孔を通して突出させることにより該フィルタカートリッジが該空気取出部材上に使用可能に取り付けられたときに、該空気取出部材の内方部分（垂直壁１６等）の外側表面上に、半径方向外方に圧縮され、これにより半径方向シールを形成するものである。また、このように半径方向シールを形成するのであるから、当然のこととして、該密封要素１３の内側部分を、該空気取出部材の内方部分（垂直壁１６等）の外側表面に対して半径方向シールを形成するように寸法を定めているといえる。
　そうすると、本件発明の【Ａ−１２】と刊行物１の発明の【ａ−１２】とは一致するものである。
本件発明の構成要件【Ａ−１３】
　本件発明は、「上記第１の端部キャップ（１７）が該フィルタエレメント（１５）の第１の端部全体を覆う」ものであるのに対し、刊行物１の発明の密封要素１２［第１の端部キャップ（１７）］は、端部１１．１を環状に覆うだけのものであって、端部全体を覆うものではなく《相違点８》、この点で両者は相違する。
　
　以下、上記相違点１〜８に関する構成につき検討する。
《相違点１》及び《相違点４》について
　刊行物１に記載の発明においては、その対比の箇所で説示したように、その密封要素１３又は密封要素１３の内側部分は、圧縮可能で、柔軟性を有するプラスチック材料からなるものであるが、その材料が、エラストマ材料又は発泡性エラストマ材料とまでは示されないものである。
　そして、刊行物２には、上記したように、エアクリーナに関し、その第１図と前記（ロ−４）から、「多孔円筒のインナチューブ１１の周囲にろ材１２を配設し、この上下に軟質発泡ウレタンで形成された弾性端板３２を形成した円筒状フィルタエレメント３１」を設けることが記載されており、そして、その第１図と同（ロ−４）〜（ロ−７）により、該フィルタエレメント３１は、その弾性端板内側の円環状の突起部３４が、ボデーに設けた空気取出側の円環状の直立部２８と圧接状態で嵌合してなる構造を採ることにより、空気濾過時のダストの漏洩を防止できるエアクリーナを得ることができることが記載されている。この場合、フィルタエレメントを、その環状の弾性端板により、空気取出側の円環状部材の直立部２８に対して、圧接状態で嵌合して配設されるものであって、フィルタエレメントと空気取出側の円環状部材の直立部２８との間に半径方向のシールが形成されるものである。そして、ここでの軟質発泡ウレタンは、弾性端板の材料、すなわち、弾性材料として用いられるのであるから、それはポリウレタンとして「柔軟で圧縮可能なエラストマ」のグレード（ないしは性状）のものを用いていることは明らかである。また、発泡ウレタンはエアフィルターの分野で、通常、ゴム様物質、すなわち、柔軟で圧縮可能なエラストマとして用いられているものであり（必要ならば、特開昭５４−１４３９８１号公報第２頁右上欄第１１〜１７行及び刊行物７の第５頁左上欄末行〜右上欄第４行目参照）、このことからみても、軟質発泡ウレタンは柔軟で圧縮可能なエラストマといえる。
　このように、刊行物２の上記記載から、空気取出側の円環状部材の直立部と円筒状フィルタエレメント（刊行物１の発明のフィルタカートリッジに相当）とを半径方向にシールするために用いられる環状の弾性端板につき、その環状の弾性端板の材料として、柔軟で圧縮可能な発泡エラストマ材料（軟質発泡ウレタン）が示される。
　そして、刊行物１に記載の環状密封要素１３又は環状密封要素１３の内側部分は、その前記【ａ−６】及び【ａ−９】〜【ａ−１２】から明らかなように、フィルタカートリッジと、空気取出部材の円筒状垂直壁１６との間に、半径方向のシールが形成されるためのものである。
　してみれば、刊行物１に記載の密封要素１３につき、その圧縮可能で、柔軟性を有するプラスチック材料として、同様な用法で用いられる刊行物２に記載の柔軟で圧縮可能な発泡エラストマ材料を採択して、その密封要素１３を柔軟なエラストマ材料からなるものとすること、そして、その密封要素１３の内側部分を柔軟で圧縮可能な発泡エラストマ材料となして、本件発明の上記相違点１及び４に関する構成のようにすることは当業者が容易に想到できるものである。
《相違点２》について
　刊行物１に記載のエアフィルタにおけるフィルタカートリッジは、そのＦＩＧ．３等からみて円筒状のものであるが、このような円筒状フィルタカートリッジには、通常、そのフィルタ本体の少なくとも内側に紙などからなるフィルタ本体よりも比較的剛性のある環状壁体を設けるものである〔必要ならば、実願昭５６−４１４７６号（実開昭５７−１５６１１３号）のマイクロフィルムの第２頁第１〜６行（インナーチューブ２’）、刊行物２の第１図の多孔円筒のインナチューブ１１、刊行物４のＦＩＧ．１の多孔性円壁１０、甲第７号証のＦＩＧ．１の支持本体２、等を参照〕。
　そして、刊行物１のＦＩＧ．３及び前記（イ−６）からみると、空気取出部材の内方部分（垂直壁１６等）の外側表面にフィルタカートリッジを取り付けた場合には、その本体である円筒状のフィルタエレメント１１に外周方向に向けた力が作用して、使用条件によっては当該フィルタエレメント１１に変形の虞が生じるものである。そしてまた、刊行物１に記載のフィルタカートリッジは、自動車用に供され、長期間、過酷な条件で用いられるものであることからみると、この変形を防止するためにはそこに何らかの支持体が存在するはずである。
　してみれば、刊行物１に記載の発明における円筒状のフィルタカートリッジには、当該外周方向の力を支える支持体、すなわち、比較的剛性のある環状壁体（以下、必要に応じ、「剛性の環状壁体」又は「環状壁体」という）がそのフィルタエレメント１１の内周領域に設けられていると認められるものである。
　仮に、そうでないとしても、刊行物１に記載の発明のフィルタカートリッジのフィルタエレメント１１の内周領域に環状支持体を配設することは当業者の適宜なし得るところに過ぎない。
　すなわち、刊行物２には、エアクリーナに関し、その第１図と前記（ロ−４）から、「多孔円筒のインナチューブ１１の周囲にろ材１２を配設し、この上下に軟質発泡ウレタンで形成された弾性端板３２を形成した円筒状フィルタエレメント３１」を設けることが記載されており、そして、そこでは、その第１図と同（ロ−４）〜（ロ−７）により、該フィルタエレメント３１が、その環状の弾性端板３２により、空気取出側の円環状部材の直立部に対して、圧接状態で嵌合して配設されるものであって、フィルタエレメント３１と空気取出側の円環状部材の直立部との間に半径方向のシールが形成されるものである。
　このように、刊行物２では、環状の弾性端板３２（刊行物１の発明における環状の密封要素１２、１３に相当）により、空気取出側の円環状部材の直立部と円筒状フィルタエレメント３１（刊行物１の発明におけるフィルタカートリッジに対応）との間に半径方向のシールを形成する場合において、そのフィルタエレメント３１のろ材１２（刊行物１の発明のフィルタカートリッジ１１に相当）の内周に多孔円筒のインナチューブ１１からなる支持体を設けることが示されるものである。
　そして、刊行物１には、その前記【ａ−６】及び【ａ−９】〜【ａ−１２】から明らかなように、環状密封要素１３により、フィルタカートリッジと、空気取出部材の円筒状の垂直壁１６との間に、半径方向のシールを形成するものである。
　してみれば、刊行物１に記載の発明において、そのフィルタカートリッジにつき、同様なシール方法を採用する刊行物２に記載の「フィルタエレメント３１の内周に多孔円筒のチューブからなる支持体を設ける」手段を適用して、上記相違点２に関する発明のようにすることは、当業者が困難なく適宜なし得るものである。
　したがって、この相違点は、実質上の相違点とはなり得ず、仮に、そうでないとしても、その構成は当業者が適宜なし得ることに過ぎないものである。
《相違点３》及び《相違点５》について
　上記相違点《相違点２》の箇所で説示したとおり、刊行物１に記載のフィルタカートリッジのフィルタエレメント１１の内周領域には、本件発明の環状支持体に相当する環状壁体が設けられているものであり、仮に、そうでないとしても、刊行物１に記載のフィルタカートリッジのフィルタエレメント１１の内周領域に環状支持体を設けることは当業者が適宜なし得ることに過ぎないものである。
　この場合、当該環状壁体［環状支持体］を刊行物１に記載のフィルタカートリッジに組み込む場合は、当該環状壁体は、その半径方向のシールを阻害しない位置であるところの、フィルタエレメント１１の内周領域であって、密封要素１３の内側部分からみて外周側に隣接して設けられるものであり、換言すれば、密封要素１３の内側部分は、フィルタエレメント１１と反対側の環状壁体の側面上で、環状壁体に隣接して配置されることになり、このことは自明のことである。
　そして、環状壁体をフィルタエレメントの内周領域に設けた場合、本件発明と同じように、当然のこととして、環状壁体は密封要素１３の内に埋め込まれることになり、また、当然のこととして、環状壁体は密封要素１３の中央開孔を包囲することになる。
　さらに、刊行物１に記載の発明において、フィルタエレメントの内周領域に環状壁体を設けた場合においては、本件発明と同じように、環状壁体がフィルタエレメント１１の一部を心出しすることになる。
　したがって、当該相違点３及び５は実質上の相違点とはならず、ないしは、当業者が適宜なし得ることに過ぎないものである。
《相違点６》について
　刊行物１に記載の発明においては、その密封要素１３は環状であって、一対のより小さなリム又はリップにそれぞれが分割された内側周囲リム１５を有するものであるが、ＦＩＧ．３によれば、その密封要素１３の内側には、全体的に円筒状を呈する内部表面があるといえる。
　してみれば、この相違点は、実質上の相違点とはならない。
《相違点７》について
　上記《相違点３》及び《相違点５》で説示したとおり、刊行物１に記載のフィルタカートリッジには、環状壁体［環状支持体］が、そのフィルタエレメント１１の内周領域であって、密封要素の内側部分からみると外周側に設けられるものである。仮にそうでないとしても、そのようにすることは、当業者が適宜なし得ることに過ぎないものである。
　そして、そのように環状壁体［環状支持体１５ａ］を設けた場合には、刊行物１に記載のエアフィルタにおいては、環状壁体は開放した管状のフィルタ内部領域内に存在することになり、また、開放した管状のフィルタ内部領域内において、密封要素１３の内側部分［密封部分］は、環状壁体と空気取出部材の内方部分（垂直壁１６等）［部分（２０ｂ）］の外側表面との間に挟まれることになる。しかも、密封要素１３の内側部分は柔軟で圧縮可能な材料からなるのであるから、本件発明のように、密封要素１３の内側部分は、当該環状壁体と当該内方部分の外側表面との間で圧縮され、また、挟持されることになる。
　してみれば、この相違点においても、環状壁体を設けた場合には、刊行物１に記載の発明と本件発明との間に構成上の差異はない。
　したがって、当該相違点７に関する構成は、実質上の相違点とはならず、ないしは、当業者が適宜なし得ることに過ぎないものである。
《相違点８》について
　本件明細書の記載によれば、本件発明の「上記第１の端部キャップ（１７）が該フィルタエレメント（１５）の第１の端部全体を覆う」との構成は、汚い流入空気がフィルタの周りに漏れることによりエンジンが損傷する可能性を排除するためのものである（第００１２段落）。
　しかし、刊行物１に記載の如きエアフィルタの分野において、フィルタエレメントの両端の中央開孔の内、空気取出部材の存在する側とは反対側の開孔を封止する場合、その開孔全体を端板又は端部キャップで覆い密封することは、本件出願前に周知・慣用の事項（必要ならば、刊行物８の図の円板状端板１６、米国特許第３１４７１００号明細書のＦＩＧ．１のエラストマ製の端部キャップ６４、刊行物５の第２図のキャップ状部材５、甲第７号証のＦｉｇ．３のエンドギャップ３、等）となっている。
　してみれば、刊行物１に記載の環状の密封要素１２に替えて、上記周知・慣用事項である開孔全体を単一部材で覆うところの技術を適用して、本件発明の当該相違点のような構成にすることは、当業者が困難なく適宜なし得ることに過ぎない。
　そして、この場合においても、汚い流入空気がフィルタの周りに漏れることを防止できることは容易に予測できるものである。
《作用・効果》について
　本件発明は、上記相違点１〜８に関する構成を併せ具備するものであり、そして、本件明細書の記載によれば、
「フィルタエレメントと空気出口部材間のシールが半径方向シール（ラジアルシール）によって達成され、しかも密封部分がフィルタエレメントの環状支持体と空気出口部材との間で挟持されつつ半径方向に圧縮されるので、フィルタエレメント及び空気出口部材をハウジングに対して軸線方向に挿入嵌合するだけで確実で完全なシール作用が確保される。従って、従来技術の軸線方向シール（アキシャルシール）の場合のように、シール作用を確立するためにハウジングをフィルタエレメントに対して軸線方向に締め付ける必要がない。
　更に本発明によれば、密封部分が環状のフィルタ内部領域内に配置されるので、保管中または輸送中に密封部分が損傷を受けないように保護されることができる。」（第００１３段落）と記載される。
　しかし、刊行物１に記載の発明においても、フィルタカートリッジに存在する柔軟で圧縮可能な密封要素１３（及び密封要素１２）により、フィルタカートリッジと空気取出部材間のシールは半径方向シールにより達成されるものである。また、当該柔軟で圧縮可能な密封要素１３は剛性の環状壁体と空気取出部材との間で圧縮されるものであるが、その際、同時に当該両者部材により挟持されることになるものである。
　その結果、刊行物１に記載の発明では、本件発明のように、確実で完全なシール作用が確保されるものである。
（なお、仮に、剛性の環状壁体が存在しなくとも、密封要素１３は、フィルタエレメント１１と空気取出部材間で圧縮、挟持され、その結果、確実で完全なシールが実現することに変わりはない。）
　また、刊行物１に記載の発明では、半径方向シール後においては、柔軟で圧縮可能な密封要素１３が、本件発明と同じく、フィルタ内部領域に配置されているので、保管中または輸送中に密封部分が損傷を受けないものである。
　してみれば、本件発明は、上記相違点１〜８に係る構成を具備することにより、格別顕著な効果を奏するものであるということはできない。
　　なお、甲第１号証〜甲第７号証の記載を精査するも、以上の判断、認定を覆すに足る事実を見い出せない。
　したがって、本件発明は、刊行物１〜８に記載の発明及び周知・慣用技術に基づいて当業者が容易に発明をすることができたものであり、特許法第２９条第２項の規定により特許を受けることができない。
　
３−２−５−２．対比・判断（その−２）
　刊行物２には、
（１）刊行物２の前記（ロ−１）及び（ロ−７）と第１図から、「エア取入管１４を具備し、気化器に立設したセンタボルトに締着される丸型のエアクリーナ３０であって、フィルタエレメント３１は、フィルタエレメント３１の上下に設けた弾性端板３２の円環状の突起部３４がカバー２１およびボデー２５に設けた円環状凹部（２３、２７）の直立部（２４、２８）と嵌合する、エアクリーナ３０」であり、
（２）該フィルタエレメント３１は、前記（ロー４）により、「多孔円筒のインナチューブ１１の周囲に菊花状ひだ折りろ材１２を配設」するものであり、
（３）該弾性端板３２は、前記（ロ−４）により、「例えば軟質発泡ウレタン」で形成され、
（４）そして、フィルタエレメント３１の装着は、第１図と前記（ロ−５）〜（ロ−７）により、「フィルタエレメント３１の突起部３４をボデー２５の直立部２８に摺動しつつ挿嵌し、次に、カバー２１の直立部２４をフィルタエレメント３１の突起部３４に摺動挿嵌させるもので、これにより、弾性端板の突起部３４はカバー２１、ボデー２５の直立部２４、２８と圧接状態で装着され、ダストが漏洩することのない」というエアクリーナ３０に関する発明が記載されており、更に、第１図にはこの発明の詳細が記載されている。
　そこで、本件発明と、刊行物２に記載される発明（第１図の記載を含む）とを対比する。
　刊行物２に記載の発明のエアクリーナ３０は、そのカバー２１と平坦部２６と立上部８等により、本件発明と同じようにハウジングを構成する。
　そして、刊行物２に記載の発明の「エア取入管１４の開口」、「フィルタエレメント３１」、「ろ材１２」及び「エアクリーナ３０」は、本件発明の「空気入口開口部（１４）」、「フィルタエレメント（１５）」、「フィルタ（１６）」及び「エアフィルタ装置」にそれぞれ相当する。また、刊行物２に記載の発明の「ボデー２５に設けた円環状凹部２７の直立部２８」と「当該直立部２８から気化器１６方向の延長部」からなる部材は空気出口側に設けられており、本件発明の「管状の空気出口部材」に対応する空気出口部材といえるものである。
　次いで、刊行物２に記載の発明の「多孔円筒のインナチューブ１１」、「下方の弾性端板３２」及び「上方の弾性端板３２」は、本件発明の「環状支持体（１５ａ）」、「第２の端部キャップ（２５）」及び「第１の端部キャップ（１７）」にそれぞれ相当し、「下方の弾性端板３２の内側部分」は本件発明の「密封部分」に相当する。
　以上のことを基に、対比を進める。
　なお、以下、対比の説明上、括弧［　］内に本件発明の構成を表示する。
（イ）刊行物２に記載の発明のフィルタエレメント３１は、本件発明と同じように空気出口部材内への空気流を濾過するように構成され、また、挿嵌により取付けられるものであって、本件発明と同じように組み付け可能なようにハウジング内に受容されるものであるといえる。
（ロ）刊行物２に記載の発明のフィルタエレメント３１は、本件発明と同じように、開放した管状のフィルタ内部領域を形成するろ材１２［フィルタ（１６）］を備え、該ろ材１２は第１の端部と第２の端部を備えることは明らかである。
（ハ）刊行物２に記載の発明の上方の弾性端板３２［第１の端部キャップ（１７）］は、カバー２１と相俟って、本件発明と同じように、濾過されていない空気が、ろ材１２［フィルタ（１６）］の第１の端部を通過しないように設けられているといえる。
（ニ）刊行物２に記載の発明の下方の弾性端板３２［第２の端部キャップ（２５）］は、空気出口部材であるボデー２５に設けた円環状凹部２７の直立部２８と嵌合するものであって、本件発明と同じように、空気出口部材上に嵌合するような大きさに形成された中央開孔を備えているといえる。
（ホ）刊行物２に記載の発明のフィルタエレメント３１は、本件発明と同じように、開放した管状のフィルタ内部領域内にインナチューブ１１［環状支持体（１５ａ）］を具備するものである。
（ヘ）刊行物２に記載の発明では、インナチューブ１１［環状支持体（１５ａ）］は、本件発明と同じように、その下端が下方の弾性端板に３２［第２の端部キャップ（２５）］に埋め込まれた構造となっており、また、下方の弾性端板３２の中央開孔を実質上包囲しており、そして、本件発明と同じように当該インナチューブ１１がろ材１２の一部を心出ししているといえる。
（ト）刊行物２に記載の発明の下方の弾性端板３２［第２の端部キャップ（２５）］は、本件発明と同じように、下方の弾性端板３２の中央開孔にボデー２５の直立部２８［部分２０ｂに対応］が内張りされたときに密封状態となる「下方の弾性端板３２の内側部分」［密封部分］を備えるものである。
（チ）刊行物２に記載の発明の「下方の弾性端板３２の内側部分」は、本件発明と同じように、開放した管状のフィルタ内部領域内に配置されると共にろ材１２［フィルタ（１６）］と反対側のインナチューブ１１［環状支持体（１５ａ）］の側面上でインナチューブ１１に隣接して配置されるものである。
　また、刊行物２に記載の発明のフィルタエレメント３１は、ハウジング内に組み付け可能に配置されたときに、「下方の弾性端板３２の内側部分」［第２の端部キャップ（２５）の内側表面（２５ａ）］は、本件発明と同じように、空気出口部材の直立部２８［空気出口部材の部分（２０ｂ）に対応］上に嵌合すると共にこの直立部２８と密封的に係合するように配置構成されるものである。
（リ）刊行物２に記載の発明の「下方の弾性端板３２の内側部分」［密封部分］は、本件発明と同じように、開放した管状のフィルタ内部領域内において、開放した管状のフィルタ内部領域内のインナチューブ１１［環状支持体（１５ａ）］と、空気出口部材の直立部２８の外側表面との間で半径方向に圧縮されて挟持されるものである。
（ヌ）刊行物２に記載の発明の「下方の弾性端板３２の内側部分」［密封部分］は、空気出口部材の直立部２８［空気出口部材の内方部分（２０ｂ）に対応］を、下方の弾性端板３２［第２の端部キャップ（２５）］の中央開孔を通して突出することにより、フィルタエレメント３１が空気出口部材上に使用可能に取り付けられるものであり、これにより、フィルタエレメント３１と空気出口部材間に半径方向シールを形成するものであるといえるものである。したがって、当該「下方の弾性端板３２の内側部分」は、本件発明と同じように、フィルタエレメント３１が「ボデー２５の直立部２８」上に使用可能に取り付けられたときに当該直立部２８との半径方向シールを形成するように当該直立部２８に対して寸法を定められているといえる。
　
　以上のことからすると、両者は以下の点で相違し、その余の構成については、両者は一致するものである。
《相違点ａ》本件発明の【Ａ−１】、【Ａ−２】及び【Ａ−６】における空気出口部材（２０）について
　本件発明は、空気出口部材（２０）が、「管状をなし、外側表面と内側空気流通路とを備え、開放した管状のフィルタ内部領域内に突出する部分（２０ｂ）を有する」ものであるのに対し、刊行物２に記載の発明では、そのことが示されない。
《相違点ｂ》本件発明の【Ａ−９】における空気出口部材（２０）について
　本件発明は、「該第２の端部キャップ（２５）は該第２の端部キャップ（２５）の該中央開孔に該部分２０ｂが内張りされたときに密封状態となる密封部分を備え」るのに対し、刊行物２に記載の発明では、そのことが示されない。
《相違点ｃ》本件発明の【Ａ−１０】における空気出口部材（２０）について
　本件発明は、「フィルタエレメント（１５）が該空気出口部材（２０）上に組み付け可能に配置されたときに、前記第２の端部キャップ（２５）の内側表面（２５ａ）は、前記空気出口部材（２０）の前記部分（２０ｂ）上に嵌合すると共にこの部分（２０ｂ）と密封的に係合するように配置構成され」るのに対し、刊行物２に記載の発明では、そのことが示されない。
《相違点ｄ》本件発明の【Ａ−１１】における空気出口部材（２０）について
　本件発明は、「密封部分が、上記開放した管状のフィルタ内部領域内において、該フィルタ（１６）の該開放した管状のフィルタ内部領域内の該環状支持体（１５ａ）と、該空気出口部材（２０）の該部分（２０ｂ）の外側表面との間で半径方向に圧縮されて挟持され」るのに対し、刊行物２に記載の発明では、そのことが示されない。
《相違点ｅ》本件発明の【Ａ−１２】における空気出口部材（２０）について
　本件発明は、「密封部分は、該空気出口部材（２０）を該第２の端部キャップ（２５）の該中央開孔を通して突出させることにより該フィルタエレメント（１５）が該空気出口部材（２０）上に使用可能に取り付けられたときに該空気出口部材（２０）の該部分（２０ｂ）の外側表面との半径方向シールを形成するように該空気出口部材（２０）の該外側表面に対して寸法を定められ」るのに対し、刊行物２に記載の発明では、そのことが示されない。
《相違点ｆ》本件発明の【Ａ−６】及び【Ａ−９】における第２の端部キャップ(２５)の材料について
　本件発明は、「第２の端部キャップ（２５）が柔軟なエラストマ材料からなる」及び「第２の端部キャップ（２５）の密封部分は柔軟で圧縮可能な発泡エラストマ材料からなる」のに対し、刊行物２に記載の発明では、そのことが示されない。
《相違点ｇ》本件発明の【Ａ−１０】における第２の端部キャップ（２５）の形状について
　本件発明は、「第２の端部キャップ（２５）は全体的に円筒状の内部表面（２５ａ）を有する」のに対し、刊行物２に記載の発明では、そのことが示されない。
《相違点ｈ》本件発明の【Ａ−１３】における第１の端部キャップ（１７）について
　本件発明は、「第１の端部キャップ（１７）が該フィルタエレメント（１５）の第１の端部全体を覆う」のに対し、刊行物２に記載の発明では、そのことが示されない。
　以下、上記相違点につき検討する。
《相違点ａについて》
　刊行物２に記載の発明の「ボデー２５に設けた円環状凹部２７の直立部２８」と「当該直立部２８から気化器１６方向の延長部」からなる空気出口部材は、フィルターエレメント３１のフィルター内部領域内に突出する円環状直立部２８を有し、その円環状直立部２８によりフィルターエレメント３１を半径方向にシールするものである。
　一方、刊行物１には、刊行物１のＦＩＧ．３及びＦＩＧ．５と前記（イ−６）及び（イ−７）の記載により、エアフィルタに用いる空気取出部材（空気出口部材）が示され、当該空気取出部材は、ケース１７底壁部に設けられた管様体と円筒状の垂直壁１６とからなり、全体的に管状の形状を呈るものであって、フィルタカートリッジ（フィルタエレメント３１に相当）における開放した管状のフィルタ内部領域内に突出する部分を有し、更に、当該空気取出部材は垂直壁１６による外表面と管様体による内側空気流通路とを具備することが示されるものである。そして、当該空気取出部材は、その円筒状の垂直壁１６を用いてフィルタカートリッジを半径方向にシールするものである。
　してみれば、刊行物２に記載の発明において、半径方向のシールに用いられる円環状直立部２８を含むところの空気出口部材に替えて、同様な働きをなす刊行物１に記載の円筒状の垂直壁１６を含むところの空気取出部材を適用して、本件発明のようにすることは、当業者が適宜設定し得るところに過ぎない。
　したがって、当該相違点ａに関する構成は、刊行物２及び刊行物１に記載の発明に基づいて困難なく当業者が適宜採択できるものである。
《相違点ｂ〜ｅについて》
　これら相違点は、空気出口部材の構造の差異により生じたものであるところ、上記相違点ａの箇所で記載したとおり、空気出口部材として、「管状をなし、外側表面と内側空気流通路とを備え、開放した管状のフィルタ内部領域内に突出する部分（２０ｂ）を有する」ものを採択することは当業者が適宜なし得るものである。
　そして、当該空気出口部材を採択した場合には、当該相違点ｂ〜ｅに関する構成は、本件発明と刊行物２に記載の発明との間では、もはや、相違点とはなり得ないものである。
　してみれば、これら相違点に関する構成は、上記相違点ａと同様に、刊行物２及び刊行物１に記載の発明に基づいて困難なく当業者が適宜採択できるものである。
《相違点ｆについて》
　刊行物２に記載の発明では、下方の弾性端板３２は、「軟質発泡ウレタン」で形成することが示されるものである。そして、ここでの「軟質発泡ウレタン」におけるポリウレタンは、弾性端板の材料、すなわち、弾性材料として用いられるものであるから、当該ポリウレタンには、「柔軟で圧縮可能なエラストマ」のグレード（ないしは性状）のものが用いられていることは明らかなことである。そして、「軟質発泡ウレタン」はいうまでもなく発泡材料である。
　また、発泡ウレタンがエアフィルターの分野でゴム様物質、すなわち、柔軟で圧縮可能なエラストマとして用いられているものであり（必要ならば、特開昭５４−１４３９８１号公報第２頁右上欄第１１〜１７行及び刊行物７の第５頁左上欄末行〜右上欄第４行目等を参照）、このことからみても、軟質発泡ウレタンは柔軟で圧縮可能なエラストマといえるものである。
　そうすると、刊行物２に記載の発明では、本件発明と同じように、その弾性端板３２［第２の端部キャップ（２５）］の材料として、柔軟で圧縮可能なエラストマ材料を用いるものであり、また、当然のこととして、下方の弾性端板３２の内側部分［密封部分］も柔軟で圧縮可能な発泡エラストマ材料で構成されるものである。
　してみれば、この相違点ｇは、実質上の相違点とはならない。　
《相違点ｇについて》
　刊行物２に記載の発明においては、その下方の弾性端板３２は円筒状であって、当該弾性端板３２の内側部分［密封部分］は環状であるといえる。
　そして、下方の弾性端板３２の内側部分には、円環状の突起部３４を有するものであるが、第１図（第２及び４図でも同じ）によれば、その内側には、全体的に円筒状の表面が形成されているものである。
　してみれば、この相違点は、実質上の相違点とはならない。
　もし、円筒状といえば、その表面は平滑でなければならないと解釈できると仮定した場合においても、この場合、当該弾性端板３２のようなフィルタエレメントの半径方向シール部材として、表面が平滑で全体が円筒状の内表面を有するものを用いることは、本件出願前に周知・慣用の事項（必要ならば、刊行物３のカバー板１７、仏国特許出願公開第２２６１０４１号明細書のパッキン１２、１３、及び甲第７号証のシール７の内面の形状、等を参照）となっており。したがって、刊行物２に記載の発明において、これら周知・慣用の技術を適用して、上記の如く解釈した本件発明のようにすることに何等の困難性も存しない。
　してみれば、この相違点ｇは、実質上の相違点ではなく、仮に、そうでないとしても、この構成は当業者が困難なく適宜設定し得るところに過ぎない。
《相違点ｈについて》
　本件明細書の記載によれば、本件発明の「上記第１の端部キャップ（１７）が該フィルタエレメント（１５）の第１の端部全体を覆う」との構成は、汚い流入空気がフィルタの周りに漏れることでエンジンが損傷する可能性を排除するためのものである（第００１２段落）。
　しかし、刊行物２に記載の如きエアクリーナの分野において、フィルタエレメントの両端の中央開孔の内、空気出口部材の存在する側とは反対側の開孔を封止する場合、その開孔全体を端板又は端部キャップで覆い密封することは、本件出願前に周知・慣用の事項（必要ならば、刊行物８の図の端板１６、米国特許第３１４７１００号明細書のＦＩＧ．１のエラストマ製の端部キャップ６４、刊行物５の第２図のキャップ状部材５、等）となっている。
　してみれば、刊行物２に記載の上方の弾性端板３２に替えて、上記周知・慣用事項である開孔全体を単一部材で覆うところの技術を適用して、本件発明の当該相違点のようにすることは、当業者が適宜困難なくなし得ることに過ぎない。
　そして、この場合においても、汚い流入空気がフィルタの周りに漏れることを防止できるできることは容易に予測できるものである。
《作用・効果について》
　本件発明は、上記相違点ａ〜ｈに関する構成を併せ具備するものであり、そして、本件明細書の記載によれば、
「フィルタエレメントと空気出口部材間のシールが半径方向シール（ラジアルシール）によって達成され、しかも密封部分がフィルタエレメントの環状支持体と空気出口部材との間で挟持されつつ半径方向に圧縮されるので、フィルタエレメント及び空気出口部材をハウジングに対して軸線方向に挿入嵌合するだけで確実で完全なシール作用が確保される。従って、従来技術の軸線方向シール（アキシャルシール）の場合のように、シール作用を確立するためにハウジングをフィルタエレメントに対して軸線方向に締め付ける必要がない。
　更に本発明によれば、密封部分が環状のフィルタ内部領域内に配置されるので、保管中または輸送中に密封部分が損傷を受けないように保護されることができる。」（第００１３段落）と記載される。
　しかし、刊行物２に記載の発明においても、フィルタエレメント３１に存在する柔軟で圧縮可能な発泡エラストマ材料からなる下方の弾性端板３２（及び上方の弾性端板３２）により、フィルタエレメント３１と空気取出部材（相当部材）間のシールは半径方向シールにより達成されるものである。また、当該柔軟で圧縮可能な発泡エラストマからなる下方の弾性端板３２はインナチューブ１１と空気取出部材との間で圧縮されるものであるが、その際、同時に当該両者部材により挟持されることになるものである。
　その結果、刊行物２に記載の発明では、本件発明のように、確実で完全なシール作用が確保されるものである。
　また、刊行物２に記載の発明では、半径方向シール後においては、柔軟で圧縮可能な弾性端板３２が、本件発明と同じく、フィルタ内部領域に配置されているので、保管中または輸送中に密封部分が損傷を受けないものである。
　してみれば、本件発明は、上記相違点ａ〜ｈに係る構成を具備することにより、格別顕著な効果を奏するものであるということはできない。
　なお、甲第１号証〜甲第７号証の記載を精査するも、以上の判断、認定を覆すに足る事実を見い出せない。
　したがって、本件発明は、刊行物２、１、及び３〜８に記載の発明並びに周知・慣用技術に基づいて当業者が容易に発明をすることができたものであり、特許法第２９条第２項の規定により特許を受けることができない。
　
３−２−６．独立特許要件のまとめ
　したがって、本件訂正発明は、刊行物１〜８に記載の発明及び周知・慣用技術に基づいて当業者が容易に発明をすることができたものであり、特許法第２９条第２項の規定により特許を受けることができない。
　
４．まとめ
　以上のとおり、本件審判請求に係る訂正後の発明は特許法第２９条第２項の規定により特許出願の際独立して特許を受けることができないものである。
　したがって、本件審判請求に係る訂正は、特許法等の一部を改正する法律（平成６年法律第１１６号）附則第６条第１項の規定によりなお従前の例によるとされる、平成６年改正前特許法第１２６条第３項の規定に適合しない。
　よって、結論のとおり審決する。